(57)【要約】【課題】ＡＶ機器を壁内に埋め込み、埋め込んだＡＶ機器と接続する外部機器との接続を容易にし、外部機器の増設を容易に行うことができる壁材を提供する。【解決手段】表示窓２０を有し、壁面を形成する前面板１１と、前面板１１の裏側でテレビを保持する中板１３と、中板１３に保持され、音声信号及び映像信号が入力される入力端子と、入力端子に入力された音声信号及び映像信号を出力する出力端子とを備え、入力端子及び出力端子の何れか一方をテレビに接続する。他方を、表示窓２０を介して外部機器４０と接続可能に中板１３に保持する。【選択図】図１
2008208705.tif 000002
【特許請求の範囲】
【請求項１】
ＡＶ機器と、
開口部を有し、壁面を形成する前面板と、
該前面板の裏側で前記ＡＶ機器を保持する保持部と、
前記保持部に保持され、供給電源、制御信号、音声信号、映像信号の少なくとも一つが入力される入力手段と、
該入力手段に入力された供給電源、制御信号、音声信号、映像信号の少なくとも一つを出力する出力手段と
を備え、
前記入力手段及び前記出力手段の何れか一方は、
前記ＡＶ機器に接続されており、
他方は、
前記開口部を介して外部と接続可能に前記保持部に保持されている
ことを特徴とする壁材。
【請求項２】
前記入力手段及び前記出力手段を複数備えていることを特徴とする請求項１に記載の壁材。
【請求項３】
前記ＡＶ機器は表示装置であって、
前記表示装置は、
表示面が前記前面板側となるように保持されており、
前記前面板には、
少なくとも前記表示面と重合する位置に窓部が形成されていることを特徴とする請求項２に記載の壁材。
【請求項４】
前記前面板には、
該前面板の裏側と表側とを連通させる通気口が設けられていることを特徴とする請求項２又は３に記載の壁材。
【請求項５】
外部から供給された電力を前記ＡＶ機器に供給する電源装置をさらに備えることを特徴とする請求項１から４の何れか一つに記載の壁材。
【請求項６】
外部から供給されたテレビアンテナ信号又はＣＡＴＶ（ケーブルテレビジョン）信号の少なくとも一つを前記ＡＶ機器に供給するインターフェイスをさらに備えることを特徴とする請求項１から５の何れか一つに記載の壁材。
【請求項７】
外部ＬＡＮと前記ＡＶ機器を接続するインターフェイスをさらに備えることを特徴とする請求項１から６の何れか一つに記載の壁材。
【請求項８】
前記開口部を開閉可能に遮蔽する遮蔽部材をさらに備えることを特徴とする請求項１から７の何れか一つに記載の壁材。
【発明の詳細な説明】
【技術分野】
【０００１】
本発明は、テレビ受像機を含むＡＶ機器が埋め込まれた壁材に関する。
【背景技術】
【０００２】
一般的に、テレビ受像機（以下、テレビと言う）及びスピーカなどのＡＶ機器（オーディオビジュアル機器)を設置する部屋には、たんす、クローゼット、及びその他の家具が設置されている。また、部屋の壁には、窓及びドアが設けられているため、部屋の住人は、自由にテレビ及びＡＶ機器などを設置することができない。また、ＡＶ機器は、スピーカ及び再生装置など種類が多く、多くのＡＶ機器を設置することで部屋が狭くなり、各機器を接続するケーブル配線が部屋の美観を損ねるといった問題がある。
【０００３】
そこで、特許文献１には、ＡＶ機器を収納する収納家具と、ケーブル配線機能を備えた天井とにより構築したホームシアターシステムが記載されている。特許文献１により、部屋の美観を損なうことなく、大画面と立体音響によって三次元的な広がりをもつオーディオシステムを備えた住空間を構築することが可能となる。
【特許文献１】特開２００４−８１５３７号公報
【発明の開示】
【発明が解決しようとする課題】
【０００４】
しかしながら、特許文献１における収納家具は、テレビ及びＡＶ機器を収納することにより、家具としての機能が縮小されてしまい、また、テレビなどの大きさ自体は変わらないため、テレビを収納した家具を部屋に置くことで、他の家具を置けなくなる可能性がある。また、ＡＶ機器は、一般的に増設される可能性が高く、特許文献１のようにテレビ及びＡＶ機器を収納家具に収納することにより、収納スペースが決まっているために増設できない場合がある。また、テレビとＡＶ機器とを接続する接続端子は、テレビの背面側に設けられていることが多い。このため、収納家具の外部にＡＶ機器を設置して増設した場合、収納家具に収納したテレビ及びＡＶ機器と、収納家具の外部に設置したＡＶ機器との配線を行うことができない。
【０００５】
本発明は斯かる事情に鑑みてなされたものであり、本発明の目的は、ＡＶ機器を壁内に埋め込み、埋め込んだＡＶ機器と接続する外部機器との接続を容易にし、外部機器の増設を容易に行うことができる壁材を提供することにある。
【課題を解決するための手段】
【０００６】
本発明に係る壁材は、ＡＶ機器と、開口部を有し、壁面を形成する前面板と、該前面板の裏側で前記ＡＶ機器を保持する保持部と、前記保持部に保持され、供給電源、制御信号、音声信号、映像信号の少なくとも一つが入力される入力手段と、該入力手段に入力された供給電源、制御信号、音声信号、映像信号の少なくとも一つを出力する出力手段とを備え、前記入力手段及び前記出力手段の何れか一方は、前記ＡＶ機器に接続されており、他方は、前記開口部を介して外部と接続可能に前記保持部に保持されていることを特徴とする。
【０００７】
本発明においては、入力手段又は出力手段の一方は、壁材に埋め込んだＡＶ機器に接続されており、他方は、外部と接続可能となる。これにより、壁材に埋め込んだＡＶ機器に新たな付属機器（外部機器）を接続して機能拡張するような場合であっても、付属機器を入力手段又は出力手段に接続することで、簡単に付属機器とＡＶ機器とを接続することができる。
【０００８】
本発明に係る壁材は、前記入力手段及び前記出力手段を複数備えていることを特徴とする。
【０００９】
本発明においては、入力手段及び出力手段を複数備えているため、接続する外部機器の数を増やすことができる。
【００１０】
本発明に係る壁材は、前記ＡＶ機器は表示装置であって、前記表示装置は、表示面が前記前面板側となるように保持されており、前記前面板には、少なくとも前記表示面と重合する位置に窓部が形成されていることを特徴とする。
【００１１】
本発明においては、表示装置が前面板と背面板との間に介在され、前面板の窓部から表示装置の表示面を外部から視認できる。これにより、表示装置を壁材の内側に埋め込むことができるため、表示装置の設置スペースを考慮する必要がなくなる。
【００１２】
本発明に係る壁材は、前記前面板には、該前面板の裏側と表側とを連通させる通気口が設けられていることを特徴とする。
【００１３】
本発明においては、前面板には、前面板の裏側と表側とを連通させる通気口が設けられているため、ＡＶ機器による放熱を外部に逃がすことができる。
【００１４】
本発明に係る壁材は、外部から供給された電力を前記ＡＶ機器に供給する電源装置をさらに備えることを特徴とする。
【００１５】
本発明においては、外部から供給された電力をＡＶ機器に供給する電源装置をさらに備えることで、ＡＶ機器と外部とを接続する配線作業を簡略化できる。
【００１６】
本発明に係る壁材は、外部から供給されたテレビアンテナ信号又はＣＡＴＶ（ケーブルテレビジョン）信号の少なくとも一つを前記ＡＶ機器に供給するインターフェイスをさらに備えることを特徴とする。
【００１７】
本発明においては、テレビアンテナ信号又はＣＡＴＶ信号をＡＶ機器に入力することができる。
【００１８】
本発明に係る壁材は、外部ＬＡＮと前記ＡＶ機器を接続するインターフェイスをさらに備えることを特徴とする。
【００１９】
本発明においては、ＡＶ機器をネットワークに接続することができる。
【００２０】
本発明に係る壁材は、前記開口部を開閉可能に遮蔽する遮蔽部材をさらに備えることを特徴とする。
【００２１】
本発明においては、開口部が遮蔽部材により開閉可能に遮蔽される。これにより、埃などが開口部から侵入するのを防止できる。
【発明の効果】
【００２２】
本発明によれば、入力手段又は出力手段の一方は、壁材に埋め込んだＡＶ機器に接続されており、他方は、外部と接続可能となる。これにより、壁材に埋め込んだＡＶ機器に新たな付属機器（外部機器）を接続して機能拡張するような場合であっても、付属機器を入力手段又は出力手段に接続することで、簡単に付属機器とＡＶ機器とを接続することができる。
【発明を実施するための最良の形態】
【００２３】
以下、本発明をその実施の形態を示す図面に基づいて詳述する。本発明の壁材は、住宅の壁の一画を形成するものであってもよいし、空間を区切るパーティションとして用いられてもよい。
【００２４】
図１は、本実施の形態に係る壁材の外観斜視図である。図２は、図１の前面板を外した場合の壁材を示す図である。図３は、図１のＩＩＩ−ＩＩＩ線における断面図である。
【００２５】
壁材は、一対の柱部材１０，１０、同じ形状で同じ大きさの前面板１１と背面板１２、及び中板（保持部）１３を備え構成されている。各部材は、壁材の設置場所及び強度に応じて、木、石膏、及び鉄などの材料から適宜選択され、形成される。
【００２６】
柱部材１０，１０は、矩形柱状であって、平行配置されている。平行な一対の柱部材１０，１０の間には、長方形の中板１３の長手方向と、柱部材１０，１０の長手方向とが一致するように、中板１３が設けられている。中板１３には、後述するが、テレビ３０、スピーカ３１Ｒ，３１Ｌ、中継ボックス３２及び電源ボックス３３が保持されている。
【００２７】
前面板１１及び背面板１２は、同形状で同じ大きさを有している。背面板１２は、長手方向に沿った両側縁に、一対の平行な柱部材１０，１０が位置するように、柱部材１０，１０に取り付けられている。なお、柱部材１０，１０と、背面板１２及び中板１３とは、留め具及び溶接により固定されていてもよいし、分離可能に留め具により固定されていてもよい。
【００２８】
前面板１１は、柱部材１０，１０の背面板１２の反対側に設けられている。このとき、柱部材１０，１０は、前面板１１の長手方向に沿った両側縁に位置している。即ち、前面板１１及び背面板１２は、柱部材１０，１０及び中板１３を背面板１２と挟むようにして、平行に対向配置されている。そして、図３に示すように、前面板１１と中板１３との間、及び背面板１２と中板１３との間には、それぞれ空間１７及び空間１８が形成されている。
【００２９】
なお、前面板１１は、例えば磁石により柱部材１０，１０に接着されており、柱部材１０，１０に対して着脱可能となっている。これにより、テレビ３０及びスピーカ３１Ｒ，３１Ｌなどの配線作業時に、前面板１１を取り外すことで作業が行いやすくなる。
【００３０】
中板１３には、中央より上方に矩形状の開口（図示せず）が形成されており、中板１３と直交するように開口の上部と下部とに固定板１４ａ，１４ｂが設けられている。なお、固定板１４ａ，１４ｂは、空間１７及び空間１８の何れにも突出するように設けられている。そして、固定板１４ａ，１４ｂは、テレビ３０を上下方向から挟持して固定している。このとき、テレビ３０は、表示面３０ａが前面板１１側となるように固定される。固定板１４ａ，１４ｂに、テレビ３０の熱を逃すための穴を設けるようにしてもよい。
【００３１】
また、中板１３には、テレビ３０の下方にスピーカ３１Ｒ，３１Ｌが左右対称に保持されている。なお、スピーカ３１Ｒ，３１Ｌは、テレビ３０と同様に中板１３に形成された開口に固定するようにしてもよいし、スピーカ３１Ｒ，３１Ｌの重量が軽い場合には、中板１３に留め金具により引っ掛けるようにしてもよい。
【００３２】
中板１３の前面板１１側の面には、スピーカ３１Ｌの下方に中継ボックス３２及び電源ボックス３３を載置する載置板１５が垂直に設けられている。中継ボックス３２は、信号が入力される複数の入力端子３２ａ、及び入力端子３２ａに入力された信号を出力する複数の出力端子３２ｂを有している。入力端子３２ａ及び出力端子３２ｂは、音声信号及び映像信号の端子、テレビアンテナ用の端子、データ通信の信号を入出力する端子、並びにＨＤＭＩ（High-Definition Multimedia Interface）端子などである。そして、中継ボックス３２は、中板１３に設けられるテレビ３０及びスピーカ３１Ｒ，３１Ｌと外部機器４０とを接続する。外部機器４０は、ＤＶＤ（Digital Versatile Disk）再生装置及びパーソナルコンピュータなどである。
【００３３】
例えば、ＤＶＤ再生装置の音声信号用の出力端子を音声信号用の入力端子３２ａに接続する。さらに、スピーカ３１Ｒ，３１Ｌを音声信号用の出力端子３２ｂに接続する。また、ＤＶＤ再生装置の映像信号用の出力端子を映像信号用の入力端子３２ａに接続する。さらに、テレビ３０を映像信号用の出力端子３２ｂに接続する。これにより、外部機器４０と壁材に設けられるテレビ３０及びスピーカ３１Ｒ，３１Ｌとを接続することができ、ＤＶＤ再生装置から出力される映像信号及び音声信号を、テレビ３０及びスピーカ３１Ｒ，３１Ｌに出力することができる。
【００３４】
なお、図２において、テレビ３０及びスピーカ３１Ｒ，３１Ｌと、中継ボックス３２とは、中板１３の前面板１１側で配線されているが、背面板１２側で配線されていてもよい。
【００３５】
電源ボックス３３は、家庭用コンセントに接続されており、電源ボックス３３に接続されるテレビ３０、中継ボックス３２及び外部機器４０などに電力を供給する。電源ボックス３３を壁材内に設けることにより、壁材内だけでテレビ３０の配線を行うことができる。また、壁材内にテレビ３０以外のＡＶ機器を増設した場合であっても、電源配線を行う必要がない。
【００３６】
さらに電源ボックス３３は、外部のテレビアンテナに接続されており、電源ボックス３３に接続される中継ボックス３２及び外部機器４０などにテレビアンテナ信号を供給することが可能である。さらに電源ボックス３３は、外部のインターネットに接続するＬＡＮ（Local Area Network）に接続されており、電源ボックス３３に接続される中継ボックス３２及び外部機器４０などにＬＡＮ接続を行うことが可能である。
【００３７】
さらに、中板１３の前面板１１側の面には、載置板１５の下方に矩形筒状の吸気部１６ａが設けられている。中板１３に垂直に設けられた吸気部１６ａは、前面板１１と接触する高さを有している。中板１３の吸気部１６ａが設けられている位置には、開口１３ａが形成されている。また、前面板１１の吸気部１６ａが接触する位置には、後述する吸気口２３ａが形成されている。そして、吸気口２３ａ、吸気部１６ａ及び開口１３ａを介して、外部と空間１８とが連通する。
【００３８】
また、中板１３の前面板１１側の面には、テレビ３０の上方に、吸気部１６ａと同じ構成の排気部１６ｂが設けられている。中板１３の排気部１６ｂが設けられている位置には、開口（図示せず）が形成されている。また、前面板１１の排気部１６ｂが接触する位置には、後述する排気口２３ｂが形成されている。そして、排気口２３ｂ、排気部１６ｂ及び中板１３の開口を介して、外部と空間１８とが連通する。
【００３９】
前面板１１には、テレビ３０の表示面３０ａと重合する位置に、前方から表示面が視認可能な表示窓（窓部）２０が形成されている。表示窓２０は、表示面と同じ形状及び大きさであってもよいし、表示面３０ａよりも大きくてもよい。なお、表示窓２０には、埃の侵入を防止するためにガラス板をはめ込むようにしてもよい。また、前面板１１には、スピーカ３１Ｒ，３１Ｌと重合する位置に、音響窓２１Ｒ，２１Ｌが形成されている。スピーカ３１Ｒ，３１Ｌから出力された音は、音響窓２１Ｒ，２１Ｌから外部に出力され、音が壁材内に籠らないようになっている。
【００４０】
また、前面板１１には、中継ボックス３２及び電源ボックス３３と重合する位置に、接続窓（開口部）２２が形成されている。外部機器４０を中継ボックス３２及び電源ボックス３３に接続する際、前面板１１が外すことなく、接続窓２２から接続作業を行うことができる。
【００４１】
なお、音響窓２１Ｒ，２１Ｌ、及び接続窓２２は、カバー２５により遮蔽可能となっている。図２では音響窓２１Ｒのカバーのみ記している。カバー２５により各窓を遮蔽することにより、不使用時に窓から埃が侵入するのを防止することができる。
【００４２】
さらに、前面板１１の吸気部１６ａ及び排気部１６ｂが接触する位置には、吸気口２３ａ及び排気口２３ｂが形成されている。吸気口２３ａ及び排気口２３ｂには、通風をよくするためのルーバーが設けられている。壁材を住宅の壁に用いる場合、壁材は住宅の天井と床との間に設置され、空間１７及び空間１８は天井と床とで密閉される。このため、テレビ３０から発せられる熱を壁材内から逃がす必要がある。そこで、吸気部１６ａ、排気部１６ｂ、吸気口２３ａ及び排気口２３ｂを設け、空気の通り道を形成することで、壁材内の熱を外部に排出することができる。
【００４３】
図４は、壁材内の空気の流通を説明するための図である。図４に示すように、吸気口２３ａ、吸気部１６ａ、及び開口１３ａを介して、外部から空間１８に空気が流入する。空間１８内はテレビ３０からの熱により温度が上がっているため、空間１８内の空気は、中板１３の排気部１６ｂの位置に形成される開口１３ｂ、排気部１６ｂ及び排気口２３ｂを介して壁材の外部に流出する。これにより、壁材の放熱を行うことができる。
【００４４】
なお、外部から空間１８に流入した空気を、他から排気するようにしてもよい。例えば、壁材をパーティションとして使用する場合、壁材の上部を開放しておき、空間１８に流入した空気を上部の開放部分から放熱されるようにしてもよい。
【００４５】
次に、以上のように構成された壁材における各機器の配線時について説明する。テレビ３０及びスピーカ３１Ｒ，３１Ｌが壁材の中板１３に予め装着されている場合、テレビ３０及びスピーカ３１Ｒ，３１Ｌの配線作業を行う際には、前面板１１を開くことにより可能となる。家庭用電源を電源ボックス３３に接続し、中継ボックス３２にアンテナ線を接続する。このとき、各配線は、壁材の背面板１２側から接続するようにしてもよいし、前面板１１の接続窓２２を介して接続するようにしてもよく、壁材の設置場所によって適宜変更可能である。そして、中継ボックス３２を電源ボックス３３に接続し、テレビ３０のアンテナ線及び電源を中継ボックス３２に接続する。
【００４６】
また、テレビ３０の音声出力端子を中継ボックス３２に接続し、スピーカ３１Ｒ，３１Ｌを中継ボックス３２に接続することで、テレビ音声をスピーカ３１Ｒ，３１Ｌから出力することが可能となる。
【００４７】
配線作業終了後、前面板１１を閉じることで、テレビ３０及びスピーカ３１Ｒ，３１Ｌを壁の内側に設置することができ、表示窓２０からテレビ３０を視認することができる。これにより、室内にテレビ３０などの設置するスペースを確保する必要がなくなる。また、各配線が前面板１１の内側に収納されるため、室内にケーブルが散乱し、また、ケーブルにより室内の美観が損なうことを防止できる。
【００４８】
また、ＤＶＤ再生装置などの外部機器４０を接続する場合には、接続窓２２を介して外部機器４０と中継ボックス３２とを接続する。これにより、前面板１１を取り外すことなく、外部機器４０を、中継ボックス３２を介してテレビ３０及びスピーカ３１Ｒ，３１Ｌと接続することができる。
【００４９】
なお、本実施の形態では、テレビ３０及びスピーカ３１Ｒ，３１Ｌは、予め中板１３に設けられているものとして説明したが、壁材を設置した後に、テレビ３０などを装着するようにしてもよい。
【００５０】
また、前面板１１を、蝶番を介して一方の柱部材１０に固定し、他方の柱部材１０と、磁石を介して固定するようにして、ドアの開閉のように、柱部材１０，１０に着脱する構成としてもよい。
【００５１】
テレビ３０、スピーカ３１Ｒ，３１Ｌ、中継ボックス３２及び電源ボックス３３を保持する中板１３、並びに前面板１１の内側に保持する構造などは適宜変更可能である。図５は、複数のＡＶ機器を備えた壁材の変形例を示す図である。図に示すように、テレビ３０の表示面と前面板１１との位置とが一致する構成としてもよい。また、図５に示すように、テレビ３０及びスピーカ３１Ｒ，３１Ｌ以外のＡＶ機器、例えば、ビデオレコーダ４１、アンプ４２などを一体に設けられていてもよい。
【００５２】
以上、本発明の好適な一実施の形態について、具体的に説明したが、各構成及び壁材の動き等は適宜変更可能であって、上述の実施の形態に限定されることはない。
【図面の簡単な説明】
【００５３】
【図１】本実施の形態に係る壁材の外観斜視図である。
【図２】図１の前面板を外した場合の壁材を示す図である。
【図３】図１のＩＩＩ−ＩＩＩ線における断面図である。
【図４】壁材内の空気の流通を説明するための図である。
【図５】複数のＡＶ機器を備えた壁材の変形例を示す図である。
【符号の説明】
【００５４】
１０  柱部材
１１  前面板
１２  背面板
１３  中板
１４  固定板
１５  載置板
１７，１８  空間
３０  テレビ
【図１】
2008208705.tif 000003
【図２】
2008208705.tif 000004
【図３】
2008208705.tif 000005
【図４】
2008208705.tif 000006
【図５】
2008208705.tif 000007